(57)【要約】【課題】システム構成の小型化及び低価格化を図った上で、放送番組の表示画面に対するスーパー素材の表示位置・重畳タイミングを事前に確認し得る番組素材表示装置を提供する。【解決手段】マトリクススイッチャー１１の第１入力チャンネルにビデオサーバ１２を接続し、第２入力チャンネルにスーパー素材送出器１３を接続し、出力チャンネルにスーパー重畳器１４を接続するようにし、端末装置１７において、ビデオサーバ１２及びスーパー素材送出器１３を送出制御して、それぞれのマトリクススイッチャー１１への入力タイミングを合わせた上でマトリクススイッチャー１１の切替制御を行ってスーパー重畳器１４で任意の番組素材と任意のスーパー素材とを合成し、モニタ／スピーカ１５にてプレビューするようにしている。【選択図】      図１
2008072643.tif 000002
【特許請求の範囲】
【請求項１】
ビデオサーバに記録または前記ビデオサーバから再生出力される番組素材信号を表示する番組素材表示装置において、
複数の入出力系統の伝送経路を切り替え、複数の入出力系統のうち少なくとも１入出力系統に前記ビデオサーバが接続される切替スイッチと、
前記切替スイッチの前記ビデオサーバが接続されない少なくとも一部の入力端子に接続され、前記番組素材信号に重畳するスーパー素材信号を送出する信号送出器と、
前記切替スイッチの少なくとも一部の出力端子に接続され、指示入力に応じて前記ビデオサーバ、前記信号送出器及び前記切替スイッチを制御して前記ビデオサーバから再生出力される任意の番組素材信号と前記信号送出器から送出される任意のスーパー素材信号とを取り込み、両信号を組み合わせてプレビューする素材編成モニタ手段とを具備したことを特徴とする番組素材表示装置。
【請求項２】
前記素材編成モニタ手段は、前記番組素材信号の画面に前記スーパー素材信号の文字を重ねる画面合成手段を備えることを特徴とする請求項１記載の番組素材表示装置。
【請求項３】
請求項１記載の番組素材表示装置を用いて番組素材信号に対するスーパー素材信号の重畳状態を表示する表示方法において、
指示入力に応じて前記ビデオサーバ、前記信号送出器及び前記切替スイッチを制御して前記ビデオサーバから再生出力される任意の番組素材信号と前記信号送出器から送出される任意のスーパー素材信号とを取り込み、
この取り込んだ任意の番組素材信号と任意のスーパー素材信号とを組み合わせてプレビューするようにしたことを特徴とする表示方法。
【発明の詳細な説明】
【技術分野】
【０００１】
この発明は、放送局内のビデオサーバに記録またはビデオサーバから再生出力される番組素材信号を表示する番組素材表示装置とその表示方法に関する。
【背景技術】
【０００２】
周知のように、放送局内にあっては、例えばテレビジョン放送やラジオ放送の番組、ＣＭ（コマーシャル）、文字やデータによる番組等の放送番組データをメモリに記憶し、任意のタイミングでメモリから放送番組データを再生するビデオサーバが使用されている。
【０００３】
また、放送局では、放送番組の映像信号に「提供」、「再放送」等のスーパー素材信号を多重して放送し、受信機側で多重信号を分離復調し、視聴番組の映像画面の予め決められた表示位置にスーパー素材を表示させるようにしている。
【０００４】
一方、地上波放送システムにおいて、デジタル放送が開始されており、このデジタル放送においては、現行の５２５ライン方式のテレビジョン放送の他に、１１２５ライン方式のテレビジョン放送等があり、放送局側でスーパー重畳位置・重畳タイミングを事前に確認する必要が生じる。
【０００５】
なお、従来では、放送局内で放送番組の映像信号の画面に重ね合わせられるスーパー素材の表示位置を確認できるスーパー合成装置が提案されている（例えば、特許文献１）。
【特許文献１】特開平５−４８９６３号公報。
【発明の開示】
【発明が解決しようとする課題】
【０００６】
しかし、上記スーパー合成装置は、例えばビデオサーバに記録されている番組素材の表示装置とは別に、放送局内に設置されることになる。このため、放送局内のシステム構成が極めて大型となり、設備コストも高価になる。
【０００７】
従って、従来では、ビデオサーバに記録されている番組素材の表示装置でスーパー素材の表示位置・重畳タイミングを確認できる装置が強く要望されている。
【０００８】
そこで、この発明の目的は、システム構成の小型化及び低価格化を図った上で、放送番組の表示画面に対するスーパー素材の表示位置・重畳タイミングを事前に確認し得る番組素材表示装置とその表示方法を提供することにある。
【課題を解決するための手段】
【０００９】
上記目的を達成するために、この発明に係わる番組素材表示装置は、ビデオサーバに記録またはビデオサーバから再生出力される番組素材信号を表示する番組素材表示装置において、複数の入出力系統の伝送経路を切り替え、複数の入出力系統のうち少なくとも１入出力系統にビデオサーバが接続される切替スイッチと、切替スイッチのビデオサーバが接続されない少なくとも一部の入力端子に接続され、番組素材信号に重畳するスーパー素材信号を送出する信号送出器と、切替スイッチの少なくとも一部の出力端子に接続され、指示入力に応じてビデオサーバ、信号送出器及び切替スイッチを制御してビデオサーバから再生出力される任意の番組素材信号と信号送出器から送出される任意のスーパー素材信号とを取り込み、両信号を組み合わせてプレビューする素材編成モニタ手段とを備えるようにしたものである。
【００１０】
この構成によれば、切替スイッチの少なくとも一部の入出力端子にビデオサーバを接続し、このビデオサーバが接続されていない入力端子に信号送出器を接続し、切替スイッチの出力端子に素材編成モニタ手段を接続するようにし、素材編成モニタ手段において、ビデオサーバ及び信号送出器を送出制御して、番組素材信号及びスーパー素材信号の切替スイッチへの入力タイミングを合わせた上で切替スイッチの切替制御を行って番組素材信号及びスーパー素材信号を組み合わせてプレビューするようにしている。すなわち、番組素材信号の映像画面に対するスーパー素材の表示が、既存のビデオサーバ、信号処理器及び端末装置において行われる。
【００１１】
従って、番組素材信号の映像画面に対するスーパー素材の表示のために、専用のスーパー合成装置を用いる必要がなく、これによりシステム構成の大型化及びコストアップを防止できるとともに、番組素材信号及びスーパー素材信号の放送に先立ち、番組素材信号の画面に対するスーパー素材の表示位置・重畳タイミングの確認を１台の端末装置にて行うことができる。これにより、スーパー文字の表示タイミングずれや、人物等の映像に文字が被さってしまう不具合を防止できる。また、あくまでも確認用として、再生時にスーパー素材をビデオサーバ中の番組素材に重畳し、画面プレビューするだけで、番組素材そのものに対して変更を加えないで済む。
【発明の効果】
【００１２】
以上詳述したようにこの発明によれば、システム構成の小型化及び低価格化を図った上で、放送番組の表示画面に対するスーパー素材の表示位置・重畳タイミングを事前に確認し得る番組素材表示装置とその表示方法を提供することができる。
【発明を実施するための最良の形態】
【００１３】
以下、この発明の実施形態について図面を参照して詳細に説明する。
【００１４】
図１は、この発明の一実施形態となる番組素材表示装置の構成を示すもので、１１はマトリクススイッチャーである。なお、ここでは説明を簡単にするため、マトリクススイッチャー１１の入力チャンネル（系統）数を４チャンネルとし、出力チャンネル数を３チャンネルとする。
【００１５】
この実施形態では、マトリクススイッチャー１１の第１入力チャンネルにビデオサーバ１２を接続し、第２入力チャンネルにスーパー素材送出器１３を接続し、第１出力チャンネルにビデオサーバ１２を接続し、第２及び第３出力チャンネルにスーパー重畳器（ＳＵＰ  ＡＭＰ）１４を接続している。
【００１６】
スーパー重畳器１４の出力端子には、モニタ／スピーカ１５が接続される。上記マトリクススイッチャー１１、ビデオサーバ１２及びスーパー素材送出器１３は、制御ＬＡＮ(Local Area Network)１６を介して素材編成モニタ手段としての端末装置１７に接続される。
【００１７】
上記端末装置１７は、ビデオサーバ１２及びスーパー素材送出器１３に対し、ユーザ指定入力操作による制御コマンドに従って任意の番組素材及び任意のスーパー素材を送出させ、マトリクススイッチャー１１に対し、制御コマンドに従って任意の入出力チャンネル間を接続させる。なお、制御コマンドには、いつ実行するかの旨を示すタイミング情報が含まれている。
【００１８】
マトリクススイッチャー１１から出力される任意の番組素材及び任意のスーパー素材は、スーパー重畳器１４で合成され、この合成素材がモニタ／スピーカ１５でプレビューされる。
【００１９】
次に、上記構成における処理動作について説明する。図２は、端末装置１７の制御処理手順を示すフローチャートである。  
ビデオサーバ１２に対し番組素材（素材Ａとする）の記録を行なう場合にオペレータは、端末装置１７を起動し、専用アプリケーションを起動する。そして、ディスプレイ１７１に表示されるリストから記録素材を選択し、ビデオサーバ１２に記録する。ビデオサーバ１２に対する素材Ａの記録後、スーパー素材を用意する（素材Ｂとする）。このとき、マトリクススイッチャー１１、ビデオサーバ１２、スーパー素材送出器１３は電源ＯＮの状態であるものとする。
【００２０】
すると、端末装置１７は、ビデオサーバ１２、スーパー素材送出器１３に記録されている番組素材及びスーパー素材のリストをディスプレイ１７１に表示する（ステップＳＴ２ａ）。そして、この状態でオペレータが送出を希望する素材Ａ及び素材Ｂをキーボード／マウス１７２により選択指定すると、端末装置１７はステップＳＴ２ｂからステップＳＴ２ｃに移行して、ここで上記選択指定された素材Ａ及び素材Ｂが記録されるビデオサーバ１２及びスーパー素材送出器１３に対し再生開始の制御コマンドを送出し、マトリクススイッチャー１１に対しビデオサーバ１２及びスーパー素材送出器１３とスーパー重畳器１４とを接続させるための制御コマンドを送出する。
【００２１】
なお、上記ステップＳＴ２ｂにおいて、オペレータが素材Ａ及び素材Ｂの選択指示を一時的に停止する場合のように、選択指示を入力しなかった場合には、端末装置１７は処理を終了する。
【００２２】
ビデオサーバ１２及びスーパー素材送出器１３から送出された素材Ａ及び素材Ｂは、スーパー重畳器１４により合成され１つの素材になった後、モニタ／スピーカ１５でプレビューされる。従って、このプレビュー画面表示によりオペレータは素材Ａの画面に重畳される素材Ｂの表示位置及び重畳タイミングを確認することができる。
【００２３】
この状態で、素材Ｂの表示位置及び重畳タイミングに問題があれば、素材Ａを修正し、放送（オンエアー）に備える。オンエアー時は、マスターシステム（本装置構成以外）へ素材Ａを出力し、マスターシステム側にて素材Ａに対する素材Ｂの重畳処理を行う。
【００２４】
以上のように上記実施形態では、マトリクススイッチャー１１の第１入力チャンネルにビデオサーバ１２を接続し、第２入力チャンネルにスーパー素材送出器１３を接続し、出力チャンネルにスーパー重畳器１４を接続するようにし、端末装置１７において、ビデオサーバ１２及びスーパー素材送出器１３を送出制御して、それぞれのマトリクススイッチャー１１への入力タイミングを合わせた上でマトリクススイッチャー１１の切替制御を行ってスーパー重畳器１４で任意の番組素材と任意のスーパー素材とを合成し、モニタ／スピーカ１５にてプレビューするようにしている。すなわち、番組素材の映像画面に対するスーパー素材の表示が、既存のビデオサーバ１２、スーパー素材送出器１３、モニタ／スピーカ１５及び端末装置１７において行われる。
【００２５】
従って、番組素材の映像画面に対するスーパー素材の表示のために、専用のスーパー合成装置を用いる必要がなく、これによりシステム構成の大型化及びコストアップを防止できるとともに、番組素材及びスーパー素材のオンエアーに先立ち、番組素材の映像画面に対するスーパー素材の表示位置・重畳タイミングの確認をモニタ／スピーカ１５にて行うことができる。これにより、スーパー文字の表示タイミングずれや、人物等の映像に文字が被さってしまう不具合を防止できる。また、あくまでも確認用として、再生時にスーパー素材をビデオサーバ中の番組素材に重畳し、画面プレビューするだけで、番組素材そのものに対して変更を加えないで済む。
【００２６】
その他、番組素材表示装置の構成、番組素材及びスーパー素材をプレビューする際の端末装置の制御手順とその内容等についても、この発明の要旨を逸脱しない範囲で種々変形して実施できる。
【図面の簡単な説明】
【００２７】
【図１】この発明の一実施形態となる番組素材表示装置の構成を示すブロック図。
【図２】図１に示した端末装置の制御手順を示すフローチャート。
【符号の説明】
【００２８】
１１…マトリクススイッチャー、１２…ビデオサーバ、１３…スーパー素材送出器、１４…スーパー重畳器、１５…モニタ／スピーカ、１６…制御ＬＡＮ、１７…端末装置、１７１…ディスプレイ、１７２…キーボード／マウス。
【図１】
2008072643.tif 000003
【図２】
2008072643.tif 000004